(57)【要約】【課題】  従来における内部にプッシュスイッチが存在するために、該プッシュスイッチの部分によって光源よりの光が遮断されレンズ全体が均一に照明されず、従って、全体の輝度が低下するといった問題があり、また、レンズを回動する機構であるため、回動動作による磨耗によって耐用年数が短くなるといった問題があった。【解決手段】  照明灯４が内蔵されたケース１と、該ケースの前面に取付けられたレンズ２と、該レンズに配設された導電線からなるタッチセンサ用の電極６と、該電極の近傍を指等で近接すると人体の静電容量を検出するセンサ回路と、該センサ回路よりの出力で前記照明灯を点灯・消灯する制御回路とより構成し、前記電極は前記レンズ前面の任意個所に指等を近接すると前記センサ回路が人体の静電容量を検出するように配設されている車両用室内灯である。【選択図】        図２
2007055551.tif 000002
【特許請求の範囲】
【請求項１】
照明灯が内蔵されたケースと、該ケースの前面に取付けられたレンズと、該レンズに配設された導電線からなるタッチセンサ用の電極と、該電極の近傍を指等で近接すると人体の静電容量を検出するセンサ回路と、該センサ回路よりの出力で前記照明灯を点灯・消灯する制御回路とより構成し、前記電極は前記レンズ前面の任意個所に指等を近接すると前記センサ回路が人体の静電容量を検出するように配設されていることを特徴とする車両用室内灯。
【請求項２】
前記電極と前記センサ回路とは前記レンズを前記ケースに取付けることで電気的に接続可能なように構成したことを特徴とする請求項１記載の車両用室内灯。
【請求項３】
前記電極は前記レンズの裏面側に配設されていることを特徴とする請求項１記載の車両用照明灯。
【請求項４】
前記電極は前記レンズの成形時にモールドによってレンズに埋設配線されていることを特徴とする請求項１記載の車両用照明灯。
【請求項５】
前記電極はレンズの周囲に沿ってループ状に形成されていることを特徴とする請求項１乃至４の何れかに記載の車両用照明灯。
【請求項６】
前記電極は格子状に形成されていることを特徴とする請求項１乃至４の何れかに記載の車両用照明灯。
【請求項７】
前記電極は並列的に形成されていることを特徴とする請求項１乃至４の何れかに記載の車両用照明灯。
【請求項８】
前記格子状に形成された電極は、レンズの中心部で枡目が大きく周囲で小さくなるように形成されていることを特徴とする請求項６記載の車両用室内灯。
【請求項９】
前記並列的に形成された電極は、レンズの中心部で線間が広く周囲で狭くなるように形成されていることを特徴とする請求項７記載の車両用室内灯。
【請求項１０】
前記電極は照明灯の点灯時において照度の低下を招かないような細線の導電線で構成されていることを特徴とする請求項６乃至９の何れかに記載の車両用照明灯。
【発明の詳細な説明】
【技術分野】
【０００１】
本発明は、車室内のルーフに取付けられる車両用照明灯であって、レンズ全体の任意個所を指先等で触れあるいは近接することで室内灯を点灯・消灯することができる車両用室内灯に関する。
【背景技術】
【０００２】
従来における車両用室内灯の一般的なものとしては、ケース側にスライドスイッチやプッシュスイッチが設けられており、該スライドスイッチをスライド操作し、あるいは、プッシュスイッチを押す操作することで内蔵の照明灯を点灯・消灯していた。このスイッチ操作による車両用照明灯にあっては、スイッチがケース側に設けられているため、ケースの大きさに対してレンズは小さなものが使用される。そのために、照明面積が小さなものとなってしまうといった問題が発生した。
【０００３】
そこで、このような欠点を解決するものとして、本出願人が開発した特開２００２−１７２９７７に開示されている発明がある。この発明は、ケースに対してレンズを回動自在に取付け、該レンズを押下することで内蔵されているプッシュスイッチを操作して照明灯の点灯・消灯を行なうものである。このようなレンズをスイッチの操作部材とすることで、レンズによってケースの開口部全体を覆うことが可能となるので、レンズを大きなものとして照度を上げることができると共にデザイン的にも優れたものであった。
【特許文献１】特開２００２−１７２９７７
【発明の開示】
【発明が解決しようとする課題】
【０００４】
ところで、前記した発明にあっても、内部にプッシュスイッチが存在するために、該プッシュスイッチの部分によって光源よりの光が遮断されレンズ全体が均一に照明されず、従って、全体の輝度が低下するといった問題があり、また、レンズを回動する機構であるため、回動動作による磨耗によって耐用年数が短くなるといった問題もあった。
【０００５】
本発明は前記した問題点を解決せんとするもので、その目的とするところは、レンズに導電線からなる電極をタッチセンサとし、レンズ前面の任意個所を触れたり近接することで照明灯の点灯・消灯を行なうようにしたので、レンズ全体が照明灯によって略均一に照明されて高い輝度値を得ることができ、また、機械的な構造を不要としたことで、耐用年数を高めることができる車両用室内灯を提供せんとするにある。
【課題を解決するための手段】
【０００６】
本発明の車両用室内灯は前記した目的を達成せんとするもので、請求項１の手段は、照明灯が内蔵されたケースと、該ケースの前面に取付けられたレンズと、該レンズに配設された導電線からなるタッチセンサ用の電極と、該電極の近傍を指等で近接すると人体の静電容量を検出するセンサ回路と、該センサ回路よりの出力で前記照明灯を点灯・消灯する制御回路とより構成し、前記電極は前記レンズ前面の任意個所に指等を近接すると前記センサ回路が人体の静電容量を検出するように配設されていることを特徴とする。
【０００７】
請求項２の手段は、前記した請求項１において、前記電極と前記センサ回路とは前記レンズを前記ケースに取付けることで電気的に接続可能なように構成したことを特徴とする。
【０００８】
請求項３の手段は、前記した請求項１において、前記電極は前記レンズの裏面側に配設されていることを特徴とする。
【０００９】
請求項４の手段は、前記した請求項１において、前記電極は前記レンズの成形時にモールドによってレンズに埋設配線されていることを特徴とする。
【００１０】
請求項５の手段は、前記した請求項１乃至４の何れかにおいて、前記電極はレンズの周囲に沿ってループ状に形成されていることを特徴とする。
【００１１】
請求項６の手段は、前記した請求項１乃至４の何れかにおいて、前記電極は格子状に形成されていることを特徴とする。
【００１２】
請求項７の手段は、前記した請求項１乃至４の何れかにおいて、前記電極は並列的に形成されていることを特徴とする。
【００１３】
請求項８の手段は、前記した請求項６において、前記格子状に形成された電極は、レンズの中心部で枡目が大きく周囲で小さくなるように形成されていることを特徴とする。
【００１４】
請求項９の手段は、前記した請求項７において、前記並列的に形成された電極は、レンズの中心部で線間が広く周囲で狭くなるように形成されていることを特徴とする。
【００１５】
請求項１０の手段は、前記した請求項６乃至９の何れかにおいて、前記電極は照明灯の点灯時において照度の低下を招かないような細線の導電線で構成されていることを特徴とする。
【発明の効果】
【００１６】
本発明は前記したように、照明灯が内蔵されたケースの前面に取付けられたレンズに、導電線からなるタッチセンサ用の電極を配設し、前記レンズ前面の任意個所を指等で接触あるいは近接すると人体の静電容量を検出することで照明灯の点灯・消灯を制御するようにしたので、従来のような機械的なスイッチが不要となるので機械的不良や接点の磨耗等による接触不良が発生することがなく、また、タッチセンサの電極として導電線を利用したことにより、照明灯よりの光が電極によって遮断されることがなく、レンズを通しての輝度値が低下することがない。
【００１７】
また、電極とセンサ回路とは、リード線で電気的に接続することもレンズをケースに取付けることで電気的に接続することも可能であり、レンズをケースに取付けることによって電気的に接続する場合にあっては、レンズをケースから完全に分離できて作業性の向上と取り扱いが容易になる。
【００１８】
また、電極をレンズの裏面側あるいはモールドによってレンズ内に埋め込み、電極に操作者が直接触れることがないので、電極として細い導電線を使用しても断線することがなく、また、導電線によって照明灯よりの光が遮られることもない。
【００１９】
さらに、電極を格子状あるいは並列的に配設することで、レンズ前面の任意の個所に接触あるいは近接することで照明灯の点滅制御を行うことができるので、夜間等のような暗い雰囲気であっても点滅制御を簡単に行うことができ、従って、安全運転上からも非常に好ましいものであり、また、前記格子状や並列的に配置した電極をレンズの中心部分は疎状態とし、レンズの周囲で密状態とすることで、照明灯よりの光が電極によって遮られることがさらに無くなる等の効果を有するものである。
【発明を実施するための最良の形態】
【００２０】
本発明は、照明灯が内蔵されたケースの前面に取付けられたレンズに、導電線からなるタッチセンサ用の電極を配設し、該電極の近傍を指等で近接すると人体の静電容量を検出することで照明灯の点灯・消灯を制御する。
【実施例１】
【００２１】
以下、本発明に係る車両用室内灯の第１の実施例を図１、図２と共に説明する。
１はケース、２は該ケース１の開口部１ａにおける略全面を覆うように取付けられたレンズ、３は前記ケース１内に固定された基板にして、白色発光ダイオード等の照明灯４が半田付けされ、また、電源と接続するためのコネクター５が同じく半田付けされている。６は前記レンズ２の裏面の周囲に這わせ接着剤等によって固定した導電性の細い線からなるタッチセンサとしての役目をする電極にして、リード線６ａを介して基板３に実装されているセンサ回路（図示せず）に接続されている。
【００２２】
前記センサ回路は前記電極６の近傍におけるレンズ２の表面に操作者の指等で接触あるいは近接して人体による静電容量の変化を検出して出力を送出するものであり、該センサ回路内には感度調整手段が組み込まれており、該感度調整手段の感度を高くすることで前記電極から離れた位置のレンズ２に接触あるいは近接しても出力を送出することが可能なように構成されている。
【００２３】
また、前記基板３には前記センサ回路より出力が送出されると前記照明灯４の点灯・消灯の制御を行うスイッチング回路とからなる制御回路（図示せず）が実装されている。なお、前記電極６はレンズ２の射出成形時においてモールド加工によって埋設してもよい。
【００２４】
このように構成した車両用室内灯は車両室内のルーフに取付けられると共にコネクター５を介して電源に接続する。そして、夜間等において点灯する場合には、前記レンズ２の所望位置を指等で触れたりあるいは近接すると電極６を介して人体による静電容量の変化をセンサ回路が検出するので、該センサ回路よりの出力を制御回路が受けて照明灯４を点灯させる。また、消灯するには同じく指等でレンズ２に触れたりあるいは近接することで制御回路が照明灯４を消灯する。
【実施例２】
【００２５】
前記した第１の実施例では、レンズ２の外周に沿って電極６を配設した場合について説明したが、この場合には、センサ回路の感度を相当高くしないと電極６から離れた部位のレンズ２に接触、近接しても照明灯４の点滅制御が行えないことになる。そのため、感度を高くするとセンサ回路は操作者の意に反して誤動作して照明灯４を点灯したり消灯したりする可能性がある。このような誤動作を防止する手段として図３、図４に示すような電極６の配設が好ましい。
【００２６】
図３は電極６を格子状に配設した実施例であり、図４は電極６を並列的に配設した実施例であり、何れもレンズ２の中央部分の電極６を疎の状態となし、レンズ２の周囲に向かって密の状態に配設したものである。このように電極６をレンズ２に対して密に配設することで、センサ回路の感度を低くしても指等をレンズ２に接触しあるいは近接することで照明灯４の点滅制御を正確に行うことができ、しかも、誤動作を防止することが可能となる。
【００２７】
また、電極６をレンズ２の外周部で密の状態となし、中央部で疎の状態とすることで、照明灯４よりの光が電極６によって遮られる量が少なくなって、高輝度で照明することが可能となるものである。
【実施例３】
【００２８】
前記した何れの実施例にあっても電極６と基板３に実装されているセンサ回路をリード線６ａによって接続した場合を示したが、レンズ２をケース１に取付けることで電極６とセンサ回路とが接続されるようにすることが好ましい。
【００２９】
この実施例の一例として図５を参照して説明するに、レンズ２に配置されている電極６を、該レンズ２の裏面に接着剤等で固定した電極板６ｂに接続する。一方、基板３にコの字型に形成された導電性の支持板７ａと、該支持板７ａに対して上下動可能に支持された導電性のピン７ｂと、該ピン７ｂを上方に押し上げるスプリング７ｃとより構成した接触部材７を基板３に固定する。なお、ピン７ｂは基板３のセンサ回路の導電パターンに半田付けされている支持板７ａを介してセンサ回路に接続されている。
【００３０】
そして、レンズ２をケース１に取付けると、スプリング７ｃによって押し上げられているピン７ｂがレンズ２に取付けられている電極板６ｂに当接するので、電極６は電気的に基板３に実装されているセンサ回路に接続されて、リード線６ａと接続したと同様にレンズ２に人が触れたことを検出し、照明灯４の点滅制御が行える。
【図面の簡単な説明】
【００３１】
【図１】本発明に係る車両用室内灯の第１の実施例を示す斜視図である。
【図２】同上のケースを除く分解した斜視図である。
【図３】第２の実施例を示すレンズの裏面側から見た正面図である。
【図４】他の実施例のレンズの裏面側から見た正面図である。
【図５】第３の実施例を示し、（ａ）は斜視図であり、（ｂ）は要部の拡大断面図である。
【符号の説明】
【００３２】
１          ケース
２          レンズ
３          基板
４          照明灯
６          電極
６ｂ        電極板
７          接触部材
【図１】
2007055551.tif 000003
【図２】
2007055551.tif 000004
【図３】
2007055551.tif 000005
【図４】
2007055551.tif 000006
【図５】
2007055551.tif 000007